(57)【要約】【課題】本体ＬＣＤを備えているデジタルカメラにおいて、撮影記録した画像データを本体ＬＣＤと外部（ビデオ）モニタにおいて同時表示させる場合に、何れの表示画面に対してもその双方の有効表示範囲に合わせた状態にして画像データを表示させること。【解決手段】本体ＬＣＤ系の表示制御回路１７ａ，１８ａ，１９と外部モニタ系の表示制御回路１７ｂ，１８ｂ，２１との２系統にし、各系統毎に表示用画像データＧの画像サイズをその出力対象（ＬＣＤ表示部２０と外部モニタ２２）の画像サイズに対応させて変換する解像度変換部（１）１８ａ，（２）１８ｂを設ける。Ｖ同期生成部１５で共通に発生される垂直同期信号Ｖに合わせて、前記変換部（１）１８ａで解像度変換した画像ＧをＬＣＤ画像表示信号として該ＬＣＤ表示部２０に出力する一方で、前記変換部（２）１８ｂで解像度変換した画像Ｇをビデオ画像表示信号として該外部モニタ２２に出力する。【選択図】図１
2006253828.tif 000002
【特許請求の範囲】
【請求項１】
本体表示部と外部のビデオモニタへビデオ信号を出力するビデオ出力端子とを備えたデジタルカメラであって、
画像データを記憶する画像記憶手段と、
この画像記憶手段に記憶された画像データを読み出して前記本体表示部に表示させるための本体表示部系表示制御回路と、
前記画像記憶手段に記憶された画像データを読み出して前記外部のビデオモニタに表示させるための外部モニタ系表示制御回路と、
を備えたことを特徴とするデジタルカメラ。
【請求項２】
前記本体表示部系表示制御回路と前記外部モニタ系表示制御回路の何れか一方または両方に、前記画像記憶手段から読み出された画像データの解像度を該当する表示制御回路の出力対象の有効表示範囲の画像サイズに対応させて変換する解像度変換部を備えたことを特徴とする請求項１に記載のデジタルカメラ。
【請求項３】
前記本体表示部系表示制御回路による１周期の画像表示制御動作と前記外部モニタ系表示制御回路による１周期の画像表示制御動作とを同期させるための垂直同期信を発生する垂直同期生成部を備えたことを特徴とする請求項１または請求項２に記載のデジタルカメラ。
【請求項４】
前記画像記憶手段により記憶された複数の画像データを、前記本体表示部系表示制御回路を制御して前記本体表示部に一覧にして表示させる一覧表示制御手段と、
前記画像記憶手段により記憶された複数の画像データのうちの１つの画像データを、前記外部モニタ系表示制御回路を制御して前記外部モニタに表示させる１画像表示制御手段と、
を備えたことを特徴とする請求項１ないし請求項３の何れか１項に記載のデジタルカメラ。
【請求項５】
前記一覧表示制御手段により前記本体表示部に一覧にして表示された複数の画像データのうち１つの画像データをユーザ操作に応じて選択する画像選択手段を備え、
前記１画像表示制御手段は、前記画像選択手段により選択された１つの画像データを、前記外部モニタ系表示制御回路を制御して前記外部モニタに表示させることを特徴とする請求項４に記載のデジタルカメラ。
【請求項６】
前記本体表示部はＬＣＤ表示部であることを特徴とする請求項１ないし請求項５の何れか１項に記載のデジタルカメラ。
【発明の詳細な説明】
【技術分野】
【０００１】
本発明は、撮影画像を表示するための本体表示部を備えているデジタルカメラに関する。
【背景技術】
【０００２】
従来、デジタルカメラにより撮影記録された画像を表示させて見る場合には、当該カメラ本体部に備えられたＬＣＤ（Liquid Crystal Display）等の表示部が使用される他、外部（ビデオ）出力端子を利用して接続されるテレビ装置が外部モニタとして使用される（例えば、特許文献１参照。）。
【０００３】
図６は、デジタルカメラにおける従来の画像表示制御回路の構成を示すブロック図である。
【０００４】
この画像表示制御回路における画像表示の制御動作は、予め記憶された画像表示制御プログラムに従って、制御部１が各回路部の動作を制御することで実行される。
【０００５】
このデジタルカメラにより撮像された画像データは、図示しない本体メモリに記録され、記録された画像を本体表示部にて表示する際は、表示データ生成回路２によって本体ＬＣＤ表示部３の解像度（例えば３２０×２４０ドット）に応じた画像密度の表示用の画像データに変換され、ＤＭＡ１(Direct Memory Access 1)からバス４を介して表示メモリ５に記憶される。
【０００６】
ここで、メモリ５に記憶されている表示用の撮影画像データを本体ＬＣＤ表示部３において表示させる場合は、ＴＧ(Timing Generator)６により発生されるタイミング信号（ＬＣＤ駆動タイミング信号）に従って、表示データ読み出し制御回路７により前記メモリ５からＤＭＡ２を介して読み出された表示用の画像データがＬＣＤ制御部８に転送されてＬＣＤ画像表示信号に変換され、本体ＬＣＤ表示部３にて表示出力される。
【０００７】
また、前記メモリ５に記憶されている表示用の撮影画像データをビデオ出力端子（Video）に接続されるテレビ装置の外部モニタ（図示せず）において表示させる場合は、ＴＧ(Timing Generator)６により発生されるタイミング信号［ＮＴＳＣ(National Television System Committee)ビデオ規格信号］に従って、表示データ読み出し制御回路７により前記メモリ５からＤＭＡ２を介して読み出された表示用の画像データがビデオ信号生成部９に転送されてビデオ画像表示信号に変換され、ビデオ出力端子（Video）から外部モニタへ出力表示される。
【特許文献１】特開平０９−２７０９４４号公報
【発明の開示】
【発明が解決しようとする課題】
【０００８】
図７は、前記デジタルカメラにおける従来の画像表示制御回路によって本体ＬＣＤ表示部３と外部（ビデオ）モニタ１０との双方で同時画像表示させた場合の一表示例を示す図である。
【０００９】
表示メモリ５に記憶された表示用の画像データは、図７（Ａ）に示すように、通常、本体ＬＣＤ表示部３の解像度（例えば３２０×２４０ドット）に応じた画像密度の画像データＧとして生成記憶されているので、この画像データＧをそのままＬＣＤ駆動タイミング信号ＴLCDに従って順次読み出しＬＣＤ画像表示信号に変換すれば、図７（Ｂ）に示すように、画像Ｇの全域が欠けることなく正確に表示される。
【００１０】
一方で、図７（Ｃ）に示すように、外部（ビデオ）モニタ１０においてビデオ画像を表示させるためのＮＴＳＣ規格では、２４１．５本とする映像画面Ｊの垂直走査線数に対し、その映像画面Ｊ内の２１０〜２２５本が情報の有効表示範囲（ＴＶ表示範囲）Ｋとして規定されている。
【００１１】
このため、外部（ビデオ）モニタ１０において、実際に表示として見える有効表示範囲（ＴＶ表示範囲）Ｋの解像度（垂直走査線数）が２１０〜２２５本であるにも関わらず、前記メモリ５に記憶された解像度（３２０×２４０ドット）の画像データＧが、ＬＣＤ＋ビデオ同時表示のためのＬＣＤ駆動タイミング信号ＴLCDに従うことでビデオ画像表示信号に変換され前記２４１．５本とする映像画面Ｊの先頭ラインから順次走査表示されてしまうと、有効表示範囲Ｋより外側の領域Ｘに対応する部分の画像データが表示として見えない状態となり、結果として外部（ビデオ）モニタ１０側では、表示画像データＧがその有効表示範囲Ｋからはみ出た表示となってしまう。
【００１２】
本発明は、このような課題に鑑みなされたもので、撮影記録した画像データを本体表示部と外部（ビデオ）モニタにおいて同時表示させる場合に、何れの表示画面に対してもその双方の有効表示範囲に合わせた状態にして画像データを表示させることが可能になるデジタルカメラを提供することを目的とする。
【課題を解決するための手段】
【００１３】
本発明の請求項１に記載のデジタルカメラは、本体表示部と外部のビデオモニタへビデオ信号を出力するビデオ出力端子とを備えたデジタルカメラであって、画像データを記憶する画像記憶手段と、この画像記憶手段に記憶された画像データを読み出して前記本体表示部に表示させるための本体表示部系表示制御回路と、前記画像記憶手段に記憶された画像データを読み出して前記外部のビデオモニタに表示させるための外部モニタ系表示制御回路とを備えたことを特徴とする。
【００１４】
これによれば、本体表示部と外部のビデオモニタとの双方で独立させた表示制御回路によって、例えば本体表示部が外部のビデオモニタと駆動形式の異なるＬＣＤ表示部であっても、画像記憶手段から読み出された例えば１つの画像データをその双方において正しく表示できることになる。
【００１５】
本発明の請求項２に記載のデジタルカメラは、前記請求項１に記載のデジタルカメラにあって、前記本体表示部系表示制御回路と前記外部モニタ系表示制御回路の何れか一方または両方に、前記画像記憶手段から読み出された画像データの解像度を該当する表示制御回路の出力対象の有効表示範囲の画像サイズに対応させて変換する解像度変換部を備えたことを特徴とする。
【００１６】
これによれば、画像記憶手段から読み出された表示すべき画像データの画像サイズが、本体表示部の有効表示範囲の解像度と違ったり、外部ビデオモニタの有効表示範囲の解像度と違ったりした場合でも、その画像サイズを適切に合わせて双方正しく表示できることになる。
【００１７】
本発明の請求項３に記載のデジタルカメラは、前記請求項１または請求項２に記載のデジタルカメラにあって、前記本体表示部系表示制御回路による１周期の画像表示制御動作と前記外部モニタ系表示制御回路による１周期の画像表示制御動作とを同期させるための垂直同期信を発生する垂直同期生成部を備えたことを特徴とする。
【００１８】
これによれば、画像記憶手段から読み出される表示すべき画像データが切り替えられた場合でも、本体表示部と外部ビデオモニタの双方において同時に画像データを切り替えて表示できることになる。
【００１９】
本発明の請求項４に記載のデジタルカメラは、前記請求項１ないし請求項３の何れか１項に記載のデジタルカメラにあって、前記画像記憶手段により記憶された複数の画像データを、前記本体表示部系表示制御回路を制御して前記本体表示部に一覧にして表示させる一覧表示制御手段と、前記画像記憶手段により記憶された複数の画像データのうちの１つの画像データを、前記外部モニタ系表示制御回路を制御して前記外部モニタに表示させる１画像表示制御手段とを備えたことを特徴とする。
【００２０】
これによれば、本体表示部には画像記憶手段により記憶された複数の画像データを一覧にして表示できる一方で、外部のビデオモニタには該複数の画像データのうちの１つの画像データのみを表示できることになる。
【００２１】
本発明の請求項５に記載のデジタルカメラは、前記請求項４に記載のデジタルカメラにあって、前記一覧表示制御手段により前記本体表示部に一覧にして表示された複数の画像データのうち１つの画像データをユーザ操作に応じて選択する画像選択手段を備え、前記１画像表示制御手段は、前記画像選択手段により選択された１つの画像データを、前記外部モニタ系表示制御回路を制御して前記外部モニタに表示させることを特徴とする。
【００２２】
これによれば、本体表示部には画像記憶手段により記憶された複数の画像データを一覧にして表示できる一方で、外部のビデオモニタには該一覧表示された複数の画像データのうちユーザにより任意選択された１つの画像データのみを表示できることになる。
【発明の効果】
【００２３】
本発明の請求項１に記載のデジタルカメラによれば、本体表示部と外部のビデオモニタとの双方で独立させた表示制御回路によって、例えば本体表示部が外部のビデオモニタと駆動形式の異なるＬＣＤ表示部であっても、画像記憶手段から読み出された例えば１つの画像データをその双方において正しく表示できるようになる。
【００２４】
本発明の請求項２に記載のデジタルカメラによれば、前記請求項１に記載のデジタルカメラにあって、画像記憶手段から読み出された表示すべき画像データの画像サイズが、本体表示部の有効表示範囲の解像度と違ったり、外部ビデオモニタの有効表示範囲の解像度と違ったりした場合でも、その画像サイズを適切に合わせて双方正しく表示できるようになる。
【００２５】
本発明の請求項３に記載のデジタルカメラによれば、前記請求項１または請求項２に記載のデジタルカメラにあって、画像記憶手段から読み出される表示すべき画像データが切り替えられた場合でも、本体表示部と外部ビデオモニタの双方において同時に画像データを切り替えて表示できるようになる。
【００２６】
本発明の請求項４に記載のデジタルカメラによれば、前記請求項１ないし請求項３の何れか１項に記載のデジタルカメラにあって、本体表示部には画像記憶手段により記憶された複数の画像データを一覧にして表示できる一方で、外部のビデオモニタには該複数の画像データのうちの１つの画像データのみを表示できるようになる。
【００２７】
本発明の請求項５に記載のデジタルカメラによれば、前記請求項４に記載のデジタルカメラにあって、本体表示部には画像記憶手段により記憶された複数の画像データを一覧にして表示できる一方で、外部のビデオモニタには該一覧表示された複数の画像データのうちユーザにより任意選択された１つの画像データのみを表示できるようになる。
【００２８】
よって、本発明によれば、撮影記録した画像データを本体ＬＣＤと外部（ビデオ）モニタにおいて同時表示させる場合に、何れの表示画面に対してもその双方の有効表示範囲に合わせた状態にして画像データを表示させることが可能になるデジタルカメラを提供できる。
【発明を実施するための最良の形態】
【００２９】
以下図面により本発明の実施の形態について説明する。
【００３０】
図１は、本発明の実施形態に係るデジタルカメラの画像表示制御回路の構成を示すブロック図である。
【００３１】
この画像表示制御回路における画像表示の制御動作は、予め記憶された画像表示制御プログラムに従って、制御部（ＣＰＵ）１１が各回路部の動作を制御することで実行される。
【００３２】
このデジタルカメラにより撮像され記録された画像データを表示部で表示する場合、画像データは、本体ＬＣＤ表示部２０の解像度（例えば３２０×２４０ドット）に応じた画像密度の表示用の画像データに変換され表示メモリ１２に記憶される。
【００３３】
この表示メモリ１２には、バス１３からＤＭＡ（１）１４ａを介して本体ＬＣＤ系の表示制御回路１７ａ，１８ａ，１９が接続される一方で、ＤＭＡ（２）１４ｂを介して外部モニタ系の制御回路１７ｂ，１８ｂ，２１が接続される
本体ＬＣＤ系の表示制御回路１７ａ，１８ａ，１９において、その表示データ読み出し制御部（１）１７ａによって前記メモリ１２からＤＭＡ（１）１４ａを介して読み出された表示用の画像データＧは、解像度変換部（１）１８ａへ転送される。
【００３４】
解像度変換部（１）１８ａは、複数のラインメモリと補間処理部によって構成されるもので、前記表示データ読み出し制御部（１）１７ａにより読み出された表示用の画像データＧを、本体ＬＣＤ表示部２０の解像度（例えば３２０×２４０ドット）に対応した画像サイズに変換する。
【００３５】
この解像度変換部（１）１８ａにおいて、前記メモリ１２上に記憶された表示用の画像データＧの画像サイズが本体ＬＣＤ系の出力対象である本体ＬＣＤ表示部２０の解像度と同一である場合には、その解像度変換率は等倍に設定される。
【００３６】
前記解像度変換部（１）１８ａにて本体ＬＣＤ表示部２０に適した画像サイズに変換された表示用の画像データＧは、ＬＣＤ制御部１９に転送されてＬＣＤ画像表示信号に変換生成され、本体ＬＣＤ表示部２０に出力されて表示される。
【００３７】
この本体ＬＣＤ系の表示制御回路１７ａ，１８ａ，１９において、ＴＧ（１）１６ａは、本体ＬＣＤ系および外部モニタ系に共通のＶ同期生成部１５によって生成された垂直同期信号Ｖに基づいてＬＣＤ駆動タイミング信号Ｔ１を発生し、当該本体ＬＣＤ系の各回路１７ａ，１８ａ，１９に供給する。
【００３８】
外部モニタ系の表示制御回路１７ｂ，１８ｂ，２１において、その表示データ読み出し制御部（２）１７ｂによって前記メモリ１２からＤＭＡ（２）１４ｂを介して読み出された表示用の画像データＧは、解像度変換部（２）１８ｂへ転送される。
【００３９】
解像度変換部（２）１８ｂは、複数のラインメモリと補間処理部によって構成されるもので、前記表示データ読み出し制御部（２）１７ｂにより読み出された表示用の画像データＧを、ＮＴＳＣビデオ表示規格の有効表示範囲（ＴＶ表示範囲）に対応した画像サイズに変換する。
【００４０】
この解像度変換部（２）１８ｂにおいて、前記メモリ１２上に記憶された表示用の画像データＧの画像サイズが本外部モニタ系の出力対象であるＮＴＳＣビデオ表示規格の有効表示範囲（ＴＶ表示範囲）と同一である場合には、その解像度変換率は等倍に設定される。
【００４１】
前記解像度変換部（２）１８ｂにてＮＴＳＣビデオ表示規格に適した画像サイズに変換された表示用の画像データＧは、ビデオ信号生成部２１に転送されてビデオ画像表示信号に変換生成され、ビデオ出力端子（Video）から外部モニタへ出力されて表示される。
【００４２】
この外部モニタ系の表示制御回路１７ｂ，１８ｂ，２１において、ＴＧ（２）１６ｂは、前記本体ＬＣＤ系および外部モニタ系に共通のＶ同期生成部１５によって生成された垂直同期信号Ｖに合わせてＮＴＳＣビデオ規格によるタイミング信号Ｔ２を発生し、当該本体ＬＣＤ系の各回路１７ａ，１８ａ，１９に供給する。
【００４３】
なお、前記Ｖ同期生成部１５は、前記ＮＴＳＣビデオ規格に合わせた垂直同期信号Ｖを生成する。
【００４４】
このように、構成されたデジタルカメラの画像表示制御回路において、メモリ１２に記憶された表示用の画像データＧの画像サイズが例えば３２０×２４０ドットであり、また本体ＬＣＤ表示部２０の解像度が同じく３２０×２４０ドットである場合には、前記解像度変換部（１）１８ａの解像度変換率は等倍に設定される一方、ＮＴＳＣビデオ表示規格の有効表示範囲（ＴＶ表示範囲）Ｋに対応した垂直走査線数が例えば２２５ラインである場合には、前記解像度変換部（２）１８ｂでは画像データＧの垂直画像密度（２４０ライン）が２２５ラインに解像度変換される。
【００４５】
図２は、前記デジタルカメラにおける画像表示制御回路によって本体ＬＣＤ表示部２０と外部（ビデオ）モニタ２２との双方で同時画像表示させた場合の一表示例を示す図である。
【００４６】
表示メモリ１２に記憶された表示用の画像データＧは、図２（Ａ）に示すように、本体ＬＣＤ表示部２０の解像度（例えば３２０×２４０ドット）に応じた画像密度の画像データＧとして生成記憶されているので、この画像データＧを、解像度変換部（１）１８ａでは等倍変換し、ＴＧ（１）１６ａにより発生されるＬＣＤ駆動タイミング信号Ｔ１に従って順次ＬＣＤ制御部１９にてＬＣＤ画像表示信号に変換生成すれば、図２（Ｂ）に示すように、画像Ｇの全域がそのまま欠けることなく正確に表示される。
【００４７】
一方、図２（Ｃ）に示すように、ＮＴＳＣビデオ表示規格の有効表示範囲（ＴＶ表示範囲）Ｋに対応した垂直走査線数は２２５ラインであるので、前記表示用の画像データＧを、解像度変換部（２）１８ｂではその垂直画像密度（２４０ライン）から２２５ラインに解像度変換し、ＴＧ（２）１６ｂにより発生されるＮＴＳＣビデオ規格によるタイミング信号Ｔ２に従って順次ビデオ信号生成部２１にてビデオ画像表示信号に変換生成すれば、図２（Ｃ）に示すように、画像Ｇは有効表示範囲Ｋより外側の領域Ｘに対応する部分にはみ出ることなく、当該画像Ｇの全域がそのまま欠けずに正確に表示される。
【００４８】
つまりこの場合、外部モニタ２２に対する有効表示範囲Ｋの前後の領域Ｘに対応する部分の垂直走査期間のビデオ画像表示信号には、表示用の画像データＧが一切載らない状態となる。
【００４９】
図３は、前記デジタルカメラにおける画像表示制御回路によって本体ＬＣＤ表示部２０と外部（ビデオ）モニタ２２との双方で同時画像表示させる場合それぞれの画像表示信号を示すタイミングチャートである。
【００５０】
すなわち、この画像表示制御回路では、図３（Ａ）（Ｂ）に示すように、Ｖ同期生成部１５を本体ＬＣＤ系の表示制御回路１７ａ，１８ａ，１９と外部モニタ系の表示制御回路１７ｂ，１８ｂ，２１とで共通にし、何れの表示制御回路もこのＶ同期生成部１５からの垂直同期信号Ｖに合わせたタイミングＴ１，Ｔ２によって、一方はＬＣＤ画像表示信号を生成出力し、他方はビデオ画像表示信号を生成出力するので、それぞれの画像表示周期が同じになり、表示用画像データＧの内容が変化した場合でも、本体ＬＣＤ表示部２０での表示状態と外部モニタ２２での表示状態を常に同じにすることができる。
【００５１】
このため、例えば図３（Ｃ）に示すように、本体ＬＣＤ系の表示制御回路１７ａ，１８ａ，１９についての垂直同期信号Ｖの発生と、外部モニタ系の表示制御回路１７ｂ，１８ｂ，２１についての垂直同期信号Ｖの発生とを独立のものとして構成した場合に、そのそれぞれの垂直同期信号Ｖの時間差ΔＶによって生じてしまう画像変化（Ａ→Ｂ）に伴う表示内容のずれを防止することができる。
【００５２】
したがって、前記構成のデジタルカメラにおける画像表示制御回路によれば、メモリ１２に記憶された表示用の画像データＧを本体ＬＣＤ表示部２０と外部（ビデオ）モニタ２２との双方で同時表示させる場合に、本体ＬＣＤ系の表示制御回路１７ａ，１８ａ，１９と外部モニタ系の表示制御回路１７ｂ，１８ｂ，２１との２系統にして構成し、各系統毎に、表示用画像データＧの画像サイズをその出力対象（本体ＬＣＤ表示部２０の表示解像度／外部（ビデオ）モニタ２２の有効表示範囲Ｋ）の画像サイズに対応させて変換する解像度変換部（１）１８ａ，（２）１８ｂを設けると共に、Ｖ同期生成部１５により共通に発生される垂直同期信号Ｖに合わせて、前記本体ＬＣＤ表示部２０の解像度に対応させて画像サイズを変換した画像データＧをＬＣＤ画像表示信号として該本体ＬＣＤ表示部２０に出力する一方で、前記外部（ビデオ）モニタ２２の有効表示範囲Ｋに対応させて画像サイズを変換した画像データＧをビデオ画像表示信号として該外部（ビデオ）モニタ２２に出力するようにしたので、本体ＬＣＤ表示部２０および外部（ビデオ）モニタ２２の双方において画像データＧの全域が欠けることなく正しく表示されるようになる。
【００５３】
なお、前記実施形態では、本体ＬＣＤ系の表示制御回路１７ａ，１８ａ，１９と外部モニタ系の表示制御回路１７ｂ，１８ｂ，２１とのそれぞれに独立した解像度変換部１８ａ，１８ｂを設ける構成としたが、メモリ１２に記憶させる表示用の画像データＧの画像サイズを、予め前記本体ＬＣＤ系または外部モニタ系の何れか一方の有効表示範囲に対応する画像サイズとしておけば、その系統の解像度変換部１８を省略することができる。
【００５４】
次に、このデジタルカメラおいて、撮影されてメモリ１２に記憶されている複数の画像データ１２ａ，１２ｂ，…を本体ＬＣＤ表示部２０にてサムネイル画像として一覧表示させ、そのうち１つの画像データを選択的に抽出して外部（ビデオ）モニタ２２に出力表示させる場合の動作制御処理について説明する。
【００５５】
図４は、前記デジタルカメラにおける画像選択表示処理を示すフローチャートである。
【００５６】
図５は、前記デジタルカメラにおける画像選択表示処理に伴う本体ＬＣＤ表示部２０での表示状態と外部（ビデオ）モニタ２２での表示状態とを対比して示す図である。
【００５７】
図４における画像選択表示処理が起動されると、このデジタルカメラにより撮影された複数の画像データ１２ａ，１２ｂ，…がメモリ１２上に設定された本体ＬＣＤ表示用の画像選択画面領域に配列されて記憶され（ステップＳ１）、これに応じて、図５（Ａ１）に示すように、本体ＬＣＤ表示部２０にサムネイル表示される（ステップＳ２）。
【００５８】
この際、前記メモリ１２上の本体ＬＣＤ表示用画像選択画面領域に配列記憶された複数の画像データ１２ａ，１２ｂ，…は、前述したように、本体ＬＣＤ系の表示制御回路１７ａ，１８ａ，１９によって本体ＬＣＤ表示部２０に出力されサムネイル表示される。
【００５９】
ここで、メモリ１２上に設定された外部（ビデオ）モニタ用の再生画像領域には、表示すべき画像データが選択中であることを示す「選択中」メッセージＭが生成されて記憶され（ステップＳ３）、これに応じて、図５（Ｂ１）に示すように、外部（ビデオ）モニタ２２に対して「選択中」メッセージＭが表示される（ステップＳ４）。
【００６０】
この際、前記メモリ１２上の外部（ビデオ）モニタ用再生画像領域に記憶された「選択中」メッセージＭは、前述したように、外部モニタ系の表示制御回路１７ｂ，１８ｂ，２１によって外部（ビデオ）モニタ２２に出力表示される。
【００６１】
すると、図５（Ａ１）に示すように、本体ＬＣＤ表示部２０における複数の画像データ１２ａ，１２ｂ，…のサムネイル表示状態にあって、そのうち先頭の画像データ１２ａに対応させてカーソル２３が表示される（ステップＳ５）。
【００６２】
ここで、キー入力部２４に設けられたカーソル移動ボタン（図示せず）の押下操作が検出判断されると（ステップＳ６）、当該ボタン操作が検出判断される毎に、例えば図５（Ａ２）に示すように、カーソル２３の表示位置が次の画像データ１２ｂに対応する位置に移動されて表示される（ステップＳ７）。
【００６３】
このような複数の画像データ１２ａ，１２ｂ，…に対するカーソル２３の移動による選択操作状態では、図５（Ｂ２）に示すように、外部（ビデオ）モニタ２２に対しては前記「選択中」メッセージＭが表示されたまま維持される。
【００６４】
そして、例えば図５（Ａ３）で示すように、本体ＬＣＤ表示部２０上のカーソル２３によって画像データ１２ｂが選択された表示状態で、キー入力部２４に設けられた決定ボタン（図示せず）の押下操作が検出判断されると（ステップＳ８）、メモリ１２上に設定された外部（ビデオ）モニタ用の再生画像領域に対して、前記カーソル２３により選択されている画像データ１２ｂが書き込まれ（ステップＳ９）、これに応じて、図５（Ｂ３）に示すように、外部（ビデオ）モニタ２２に対して前記カーソル選択された画像データ１２ｂが表示される（ステップＳ１０）。
【００６５】
この際、前記メモリ１２上の外部（ビデオ）モニタ用再生画像領域に記憶された選択決定済みの画像データ１２ｂは、前述したように、外部モニタ系の表示制御回路１７ｂ，１８ｂ，２１によって外部（ビデオ）モニタ２２に出力表示される。
【００６６】
したがって、前記構成のデジタルカメラにおける画像選択表示機能によれば、複数の画像データ１２ａ，１２ｂ，…の何れかを選択的に出力表示させる際に、当該複数の画像データ１２ａ，１２ｂ，…をサムネイル表示させてカーソル２３の移動操作により表示すべき画像の選択を行うための画像選択画面（図５（Ａ１）〜（Ａ３）参照）を、本体ＬＣＤ系の表示制御回路１７ａ，１８ａ，１９によって本体ＬＣＤ表示部２０に出力表示させる一方で、この本体ＬＣＤ表示部２０での画像選択画面表示に従い選択決定された表示すべき画像データ１２ｂのみを、外部モニタ系の表示制御回路１７ｂ，１８ｂ，２１によって外部（ビデオ）モニタ２２に出力表示させるので、外部（ビデオ）モニタ２２の視聴者に対し見せたくない画像を表示させず、且つ見せたい画像のみを効果的に選択して表示させることができる。
【００６７】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００６８】
【図１】本発明の実施形態に係るデジタルカメラの画像表示制御回路の構成を示すブロック図。
【図２】前記デジタルカメラにおける画像表示制御回路によって本体ＬＣＤ表示部２０と外部（ビデオ）モニタ２２との双方で同時画像表示させた場合の一表示例を示す図。
【図３】前記デジタルカメラにおける画像表示制御回路によって本体ＬＣＤ表示部２０と外部（ビデオ）モニタ２２との双方で同時画像表示させる場合それぞれの画像表示信号を示すタイミングチャート。
【図４】前記デジタルカメラにおける画像選択表示処理を示すフローチャート。
【図５】前記デジタルカメラにおける画像選択表示処理に伴う本体ＬＣＤ表示部２０での表示状態と外部（ビデオ）モニタ２２での表示状態とを対比して示す図。
【図６】デジタルカメラにおける従来の画像表示制御回路の構成を示すブロック図。
【図７】前記デジタルカメラにおける従来の画像表示制御回路によって本体ＬＣＤ表示部３と外部（ビデオ）モニタ１０との双方で同時画像表示させた場合の一表示例を示す図。
【符号の説明】
【００６９】
１１  …制御部（ＣＰＵ）
１２  …メモリ
１２ａ，１２ｂ，…サムネイル画像
１３  …バス
１４ａ，１４ｂ…ＤＭＡ（１），（２）
１５  …Ｖ同期生成部
１６ａ，１６ｂ…ＴＧ（１），（２）
１７ａ，１７ｂ…表示データ読み出し制御部（１），（２）
１８ａ，１８ｂ…解像度変換部（１），（２）
１９  …ＬＣＤ制御部
２０  …本体ＬＣＤ表示部
２１  …ビデオ信号生成部
２２  …外部（ビデオ）モニタ
２３  …カーソル
２４  …キー入力部
Ｇ  …画像データ
Ｊ  …ＮＴＳＣ規格映像画面
Ｋ  …有効表示範囲（ＴＶ表示範囲）
【図１】
2006253828.tif 000003
【図２】
2006253828.tif 000004
【図３】
2006253828.tif 000005
【図４】
2006253828.tif 000006
【図５】
2006253828.tif 000007
【図６】
2006253828.tif 000008
【図７】
2006253828.tif 000009